(57)【特許請求の範囲】
【請求項１】
収納位置と、前記収納位置より装置の外側に引き出された位置である使用位置と、の間を変位可能に設けられ、被記録媒体を支持する被記録媒体支持部材と、
前記被記録媒体支持部材の変位方向と交差する幅方向における前記被記録媒体支持部材の両端部側に設けられた第１のボス対と、
前記被記録媒体支持部材の前記第１のボス対より前記被記録媒体支持部材の引き出し方向に位置する第２のボス対と、
前記被記録媒体支持部材を前記収納位置と前記使用位置との間を変位させる際に、前記第１のボス対をガイドする第１のガイド溝と、
前記引き出し方向における下流側の端部に前記第１のボス対および前記第２のボス対の入り込みを許容する開口部を有するとともに、前記引き出し方向における上流側の端部で前記第１のボス対が前記第１のガイド溝へ入り込むように前記第１のガイド溝と接続され、前記被記録媒体支持部材を前記収納位置と前記使用位置との間を変位させる際に、前記第２のボス対をガイドする第２のガイド溝と、
前記被記録媒体支持部材を取付ける際には前記第２のガイド溝の前記開口部を開放し、前記被記録媒体支持部材を前記収納位置と前記使用位置との間を変位させる際には前記第２のガイド溝の前記開口部を閉塞するとともに前記装置の外観の一部を構成するハウジング部材と、
を備え、
前記第１のガイド溝と前記第２のガイド溝との接続部位には、前記第１のガイド溝が前記第２のガイド溝より前記幅方向における外側に位置することで段差が形成され、
前記第１のボス対の先端部は、前記第２のボス対の先端部より前記幅方向における外側に位置し、前記第２のガイド溝を通る際、前記第２のガイド溝に圧接した圧接状態となり、前記接続部位を通って前記第２のガイド溝から前記第１のガイド溝へ入り込む、
ことを特徴とする記録装置。
【請求項２】
請求項１に記載の記録装置であって、
前記第１のボス対の先端部は、前記接続部位を通って前記第２のガイド溝から前記第１のガイド溝へ入り込むことで、前記段差により前記圧接状態が解消される、
ことを特徴とする記録装置。
【請求項３】
請求項１または請求項２に記載の記録装置であって、
前記第１のガイド溝は、前記変位方向の両端部側に設けられ、前記被記録媒体支持部材を前記収納位置と前記使用位置との間を変位させる際に前記第１のボス対の前記変位方向の移動を規制する規制部を有し、
前記第１のボス対は、前記被記録媒体支持部材が前記収納位置に位置する際には前記引き出し方向の上流側の前記規制部に当接するとともに、前記被記録媒体支持部材が前記使用位置に位置する際には前記引き出し方向の下流側の前記規制部に当接する、
ことを特徴とする記録装置。
【請求項４】
請求項３に記載の記録装置であって、
前記規制部は、
前記第１のガイド溝の前記変位方向における両端に設けられて前記被記録媒体支持部材を前記収納位置および前記使用位置に位置させる際に前記第１のボス対が前記変位方向において度当たりする度当たり部と、
前記第１のガイド溝の前記変位方向における前記度当たり部の内側に設けられて前記被記録媒体支持部材を前記収納位置と前記使用位置との間を変位させる際に前記第１のボス対が押し退け可能であるとともに、前記被記録媒体支持部材を前記収納位置および前記使用位置に位置させた際に各前記度当たり部と前記変位方向において前記第１のボス対を挟み込むことで前記第１のボス対を介して前記被記録媒体支持部材を前記収納位置および前記使用位置に保持する突起部と、を有する、
ことを特徴とする記録装置。
【発明の詳細な説明】
【技術分野】
【０００１】
本発明は、収納位置と、当該収納位置より装置外側に引き出された位置である使用位置と、の間を変位可能に設けられた、被記録媒体を支持する被記録媒体支持部材を備えた記録装置に関する。
【背景技術】
【０００２】
被記録媒体に記録を行う記録装置においては、記録が行われ、装置外部に排出される被記録媒体を支持する支持部材（スタッカ或いは排紙トレイなどとも呼ばれる）が設けられている（例えば特許文献１、２参照）。
【０００３】
この支持部材は、特許文献１、２に示される様に装置内部に収納される収納位置と、装置外側に突出して排出される用紙を受けることが可能な使用位置と、の間をスライド変位する様に設けられる場合があり、この場合支持部材は装置本体側に形成されたガイド溝によって案内される。
【先行技術文献】
【特許文献】
【０００４】
【特許文献１】特開平０７−１５７１７３号公報
【特許文献２】特開２００７−２９０８０１号公報
【発明の概要】
【発明が解決しようとする課題】
【０００５】
ここで、支持部材が装置本体から引き出される際に容易に抜けることが無い様、ガイド溝の前端は閉塞されている。従って装置の組立時には、先ず支持部材の両側にガイド溝が形成されたガイド部材を配置し、次いで装置のハウジング部材を順次組み付けていくこととなる。従って逆に、支持部材を取り外す場合にはガイド部材まわりの構成部材を全て取り外し、その後にガイド部材を取り外すことになる。
【０００６】
ところが、支持部材は使用位置において装置前方に突出した状態となる為、想定外の外力が加えられ易く、この様な想定外の外力によって破損してしまう場合がある。すると、支持部材を交換する場合には、上述の様にガイド部材まわり構成部材を全て取り外し、そしてガイド部材を取り外す必要があることから、支持部材の交換作業が煩雑なものとなっていた。
【０００７】
そこで本発明はこの様な状況に鑑みなされたものであり、その目的は、支持部材を装置本体に確実に組み付けながらも、交換作業時には容易に交換することの可能な記録装置を提供することにある。
【課題を解決するための手段】
【０００８】
上記課題を解決する為の、本発明の第１の態様に係る記録装置は、収納位置と、前記収納位置より装置の外側に引き出された位置である使用位置と、の間を変位可能に設けられ、被記録媒体を支持する被記録媒体支持部材と、前記被記録媒体支持部材の変位方向と交差する幅方向における前記被記録媒体支持部材の両端部側に設けられた第１のボス対と、前記被記録媒体支持部材の前記第１のボス対より前記被記録媒体支持部材の引き出し方向に位置する第２のボス対と、前記被記録媒体支持部材を前記収納位置と前記使用位置との間を変位させる際に、前記第１のボス対をガイドする第１のガイド溝と、前記引き出し方向における下流側の端部に前記第１のボス対および前記第２のボス対の入り込みを許容する開口部を有するとともに、前記引き出し方向における上流側の端部で前記第１のボス対が前記第１のガイド溝へ入り込むように前記第１のガイド溝と接続され、前記被記録媒体支持部材を前記収納位置と前記使用位置との間を変位させる際に、前記第２のボス対をガイドする第２のガイド溝と、前記被記録媒体支持部材を取付ける際には前記第２のガイド溝の前記開口部を開放し、前記被記録媒体支持部材を前記収納位置と前記使用位置との間を変位させる際には前記第２のガイド溝の前記開口部を閉塞するとともに前記装置の外観の一部を構成するハウジング部材と、を備え、前記第１のガイド溝と前記第２のガイド溝との接続部位には、前記第１のガイド溝が前記第２のガイド溝より前記幅方向における外側に位置することで段差が形成され、前記第１のボス対の先端部は、前記第２のボス対の先端部より前記幅方向における外側に位置し、前記第２のガイド溝を通る際、前記第２のガイド溝に圧接した圧接状態となり、前記接続部位を通って前記第２のガイド溝から前記第１のガイド溝へ入り込むことを特徴とする。
【０００９】
本態様によれば、上述のように第１のガイド溝と第２のガイド溝は接続されているので、被記録媒体支持部材が取り付けられた後に、第１のガイド溝に入り込んでいる第１のボス対が、被記録媒体支持部材の変位動作の際、第１のガイド溝と第２のガイド溝との接続部位から第２のガイド溝に入り込んでしまう虞がある。しかし、第１のガイド溝と第２のガイド溝との接続部位には、第１のガイド溝が第２のガイド溝より幅方向における外側に位置することで段差が形成されている。そして、第１のボス対の先端部は、第２のボス対の先端部より幅方向における外側に位置し、第２のガイド溝を通る際、第２のガイド溝に圧接した圧接状態となり、接続部位を通って第２のガイド溝から第１のガイド溝へ入り込むように構成されている。このため、この段差によって第１のボス対が第１のガイド溝に入り込んだ状態が維持され、被記録媒体支持部材の変位動作が適切に維持される。
【００１０】
本発明の第２の態様は、第１の態様において、前記ボスは、前記被記録媒体支持部材の変位方向に沿って適宜の間隔を空けて複数設けられ、前記複数のボスは、第１のボスと、当該第１のボスより前記被記録媒体支持部材の引き出し方向に位置する第２のボスと、で構成され、前記ガイド溝は、前記第１のボスをガイドする第１のガイド溝と、前記第２のボスをガイドする、前記開口部が形成された第２のガイド溝と、により構成されているとともに、前記第１のガイド溝と前記第２のガイド溝とが接続されており、前記被記録媒体支持部材の装置への取り付け時、前記第１のボスが、前記第２のガイド溝を通って前記第１のガイド溝に入り込むことが可能に構成されていることを特徴とする。
【００１１】
本態様によれば、被記録媒体支持部材は第１のボスと第２のボスとを備えており、ガイド部材においては前記第１のボスをガイドする第１のガイド溝と、前記第２のボスをガイドする第２のガイド溝と、を備えているが、これら前記第１のガイド溝と前記第２のガイド溝とが接続されている。そして被記録媒体支持部材の取り付け時には、第１のボスを第２のガイド溝を経由して第１のガイド溝に入り込ませることができるので、第１のボスと第２のボスとをそれぞれ別個にガイド溝に挿入する必要がなく、第１のボス及び第２のボスを使用位置側から挿入すれば、それぞれ前記第１のガイド溝と前記第２のガイド溝とに挿入することができ、前記被記録媒体支持部材の組み付け時の作業性が向上する。
【００１２】
本発明の第３の態様は、第２の態様において、前記第１のボスは、前記第２のボスより突出高さが高く形成され、前記第１のガイド溝と前記第２のガイド溝との接続部位には、前記第２のガイド溝の底面が前記第１のガイド溝の底面より高位置となる段差が形成され、前記被記録媒体支持部材の取付時に前記第１のボスが前記第２のガイド溝を通る際、前記第２のガイド溝の底面に前記第１のボスの先端が圧接し、当該第１のボスが前記段差を通って前記第１のガイド溝に入り込むことで、前記圧接した状態が解消される構成を備えることを特徴とする。
【００１３】
上述のように前記第１のガイド溝と前記第２のガイド溝は接続されているので、前記被記録媒体支持部材が取り付けられた後に、前記第１ガイド溝部に入り込んでいる前記第１のボスが、前記被記録媒体支持部材の変位動作の際、前記第１のガイド溝と前記第２のガイド溝との接続部位から前記第２のガイド溝に入り込んでしまう虞がある。しかし、前記接続部位には段差が形成されているので、この段差によって前記第１のボスが前記ガイド溝に入り込んだ状態が維持され、前記被記録媒体支持部材の変位動作が適切に維持される。
【００１４】
本発明の第３の態様は、第２の態様において、前記第１のボス及び前記第２のボスにより、前記被記録媒体支持部材の前記使用位置における姿勢が規定されることを特徴とする。  
本態様によれば、前記第１のボス及び前記第２のボスにより、前記被記録媒体支持部材の前記使用位置における姿勢が規定されるので、前記被記録媒体支持部材の前記使用位置における姿勢を規定する手段をそれ専用に設ける構成に比して、装置のコストアップを防止できる。
【図面の簡単な説明】
【００１５】
【図１】本発明に係るインクジェットプリンターの斜視図。
【図２】本発明に係るインクジェットプリンターから排紙受けトレイを取り外した状態の斜視図。
【図３】本発明に係るインクジェットプリンターの側断面概略図。
【図４】下部ハウジングにトレイガイドが取り付けられた状態の斜視図。
【図５】トレイガイドと排紙受けトレイとの位置関係を示す斜視図。
【図６】トレイガイドの正面図。
【図７】トレイガイドの部分拡大斜視図。
【図８】排紙受けトレイの各ボスとトレイガイドの各ガイド溝との位置関係を示す図。
【図９】排紙受けトレイの各ボスとトレイガイドの各ガイド溝との位置関係を示す図。
【図１０】排紙受けトレイの各ボスとトレイガイドの各ガイド溝との位置関係を示す図。
【図１１】（Ａ）、（Ｂ）は排紙受けトレイの各ボスがトレイガイドの各ガイド溝に沿って挿入される際の状態を模式的に示した図。
【発明を実施するための形態】
【００１６】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００１７】
図１は、本発明に係る記録装置、そして更にその一例としてのインクジェットプリンター１の外観斜視図、図２はインクジェットプリンター１から被記録媒体支持部材としての排紙受けトレイ７を取り外した状態の斜視図、図３はインクジェットプリンター１の側断面概略図、図４は下部ハウジング３９にトレイガイド４１が取り付けられた状態の斜視図である。
【００１８】
また、図５はトレイガイド４１と排紙受けトレイ７との位置関係を示す斜視図、図６はトレイガイド４１の正面図、図７はトレイガイド４１の部分拡大斜視図、図８〜図１０は排紙受けトレイ７の各ボス（第１ボス７ｅ、第２ボス７ｆ）とトレイガイド４１の各ガイド溝（第１ガイド溝７ｂ、第２ガイド溝７ｃ）との位置関係を示す図である。更に、図１１（Ａ）、（Ｂ）は排紙受けトレイ７の各ボスがトレイガイド４１の各ガイド溝に沿って挿入される際の状態を模式的に示した図である。
【００１９】
以下では先ず、インクジェットプリンター１の全体構成を概説する。図１、図２において符号２は記録用紙にインクジェット記録を行う記録部を、符号３は記録部２の上部に設けられるスキャナ部を、それぞれ示しており、即ちインクジェットプリンター１はインクジェット記録機能に加えてスキャナ機能を備える複合機として構成されている。
【００２０】
装置前面において符号５は記録用紙をセットする着脱可能な用紙カセットであり、符号６は記録が行われた用紙が排出される用紙排出口であり、符号７は排出された記録用紙を受ける、本発明に係る被記録媒体支持部材としての排紙受けトレイである。
【００２１】
符号８は前面カバーであり、この前面カバー８を開くことで、紙ジャム処理時に詰まった用紙を取り出すことができ、またインクカートリッジ（不図示）を交換できる様になっている。また符号９は、電源ボタンや各種印刷設定・記録実行を行う操作ボタン、印刷設定内容や印刷画像のプレビュー表示などを行う表示部、等を備えて成る操作パネルである。
【００２２】
更に、装置上部において符号１０はスキャナ部３の原稿台（不図示）を開閉するカバーを示し、符号３７、３８はそれぞれ装置外観を構成する中央ハウジング、前面パネル、を示している。また符号３９は装置外観のうち底部を構成する下部ハウジングを示している。尚、図２において符号４１は排紙受けトレイ７をガイドするガイド部材としてのトレイガイドを示しているが、これについては後に詳述する。
【００２３】
続いて図３を参照しながら記録部２における用紙搬送経路について概説する。尚、図３は記録部２の構成を模式的に示したものであり、全ての構成を示すものではなく、説明に不要な構成要素は図示を省略している。
【００２４】
記録部２は２つの用紙給送経路を備えており、１つは装置下部に設けられた用紙カセット５からの用紙給送経路であり、他の１つは装置後部（図３において右側）に設けられた用紙給送部４からの用紙給送経路である。尚、破線Ｐ１は用紙カセット５から送り出される用紙の通過軌跡を示し、破線Ｐ２は用紙給送部４から送り出される用紙の通過軌跡を示している。
【００２５】
用紙カセット５と対向する位置に設けられた符号１８で示すローラーは給送ローラーであり、この給送ローラー１８は実線と仮想線（符号１８’）で示す様に用紙カセット５に対し進退可能に設けられ、用紙カセット５に収容された用紙の最上位のものと接して回転することで、当該最上位の用紙を下流側に送り出す。送り出された用紙は、大径の反転ローラー２０によって湾曲反転させられた後、搬送手段としての搬送駆動ローラー２４及び搬送従動ローラー２５に到達する。尚、符号２１は反転ローラー２０との間で用紙をニップすることにより用紙の分離を行う分離ローラーを示している。
【００２６】
一方、装置後部に設けられた用紙給送部４において符号１３、１４はセットされた用紙を傾斜姿勢に支持する支持部材であり、このうち支持部材１４は上部の図示しない揺動軸を中心に揺動することで、支持している用紙の最上位のものを給送ローラー１５に圧接させる。給送ローラー１５は、回転することにより、圧接している用紙を下流側へ送り出す。尚、符号１６は給送ローラー１５との間で用紙をニップすることにより用紙の分離を行う分離ローラーを示している。
【００２７】
搬送駆動ローラー２４及び搬送従動ローラー２５は、下流側へと用紙を精密送りするローラー対であり、このローラー対の下流側にはインクジェット式の記録ヘッド３１と、用紙を下流側へ案内する案内部材２８と、が対向配置されている。
【００２８】
記録ヘッド３１は、用紙搬送方向と直交する方向（図３の紙面表裏方向：以下では適宜「主走査方向」と言うこととする）に往復動可能なキャリッジ３０の底部に設けられ、主走査方向に移動しながら、案内部材２８によって支持された用紙に対してインクを吐出することにより記録を行う。
【００２９】
記録ヘッド３１の下流側において、符号３３は用紙の浮きを防止する従動ローラーであり、符号３４は回転することにより用紙を排出する排出駆動ローラーであり、符号３５は排出駆動ローラー３４との間で用紙をニップする排出従動ローラーである。これらローラー対により、記録の行われた用紙は、排紙受けトレイ７に向けて排出される。
【００３０】
尚、インクジェットプリンター１は、おもて面（第１面）に記録の行われた用紙を排紙受けトレイ７に向けて排出せずに、バックフィードして反転ローラー２０により湾曲反転させることで、うら面（第２面）への記録が可能となっている。  
以上がインクジェットプリンター１の大略構成であり、以下、排紙受けトレイ７及びこれをガイドするトレイガイド４１について詳述する。
【００３１】
用紙排出口６の両側には、上述したトレイガイド４１が設けられている。このトレイガイド４１は、図４に示す様に下部ハウジング３９に取り付けられており、排紙受けトレイ７を収納位置（図１、図８）と、当該収納位置から引き出した位置である使用位置（図５、図１０）と、の間でガイドする第１ガイド溝４１ｂ、第２ガイド溝４１ｃが形成されている。
【００３２】
排紙受けトレイ７は、図５に示す様に基部７ａの内部に引き出し部７ｂが引き出し可能に収納されており、またこの引き出し部７ｂの内部に引き出し部７ｃが引き出し可能に収納されていて、多段型に構成されている。更に、最も自由端側に位置する引き出し部７ｃにはストッパー７ｄが回動可能に設けられており、使用時には基部７ａ、引き出し部７ｂ、７ｃ、のこれらよりも急角度な姿勢をとることで、排出される用紙が排紙受けトレイ７から飛び出さない様に構成されている。そしてこの排紙受けトレイ７の両サイドに対向して、トレイガイド４１Ｌ、４１Ｒが設けられている。尚、トレイガイド４１Ｌ、４１Ｒは、その形状が左右対称であることから、本明細書では特に区別する必要無い場合はトレイガイド４１と言い、その形状については図５に示すトレイガイド４１Ｒについて説明する。
【００３３】
排紙受けトレイ７の最も基端側を構成する基部７ａの両サイドには、第１ボス７ｅと第２ボス７ｆが、基部７ａの両サイドから外側に突出する様に設けられており（図１１（Ａ）、（Ｂ）も参照）、これら第１ボス７ｅと第２ボス７ｆが、それぞれトレイガイド４１に形成された第１ガイド溝４１ｂ、第２ガイド溝４１ｃに挿入され、そして案内される様になっている。
【００３４】
第１ガイド溝４１ｂ、第２ガイド溝４１ｃ、のこれらは、図６に示す様に第１ガイド溝４１ｂが装置奥側（図６において左側）、第２ガイド溝４１ｃが第１ガイド溝４１ｂよりも装置外側（図６において右側）に位置しているとともに、第１ガイド溝４１ｂの途中に、第２ガイド溝４１ｃが接続された状態となっている（符号４１ｄで示す位置）。
【００３５】
第１ガイド溝４１ｂは、その底面が弾性変形可能に構成されており、符号４１ｅ、４１ｆはそれぞれ第１ガイド溝４１ｂの底面を構成する舌片状の第１変形片、第２変形片を示している。第１変形片４１ｅ、第２変形片４１ｆは、それぞれ第１ガイド溝４１ｂの中央付近から端部に向かって延びており、それぞれ先端部に突起４１ｇ、４１ｈが形成されている（図７も参照）。
【００３６】
従って第１ガイド溝４１ｂ内において第１ボス７ｅが変位するとき、第１ボス７ｅが装置奥側に移動する際には第１変形片４１ｅを弾性変形させることで突起４１ｇを押し退け、図８に示す位置（排紙受けトレイ７の収納位置）に保持される。また、第１ボス７ｅが装置外側に移動する際には第２変形片４１ｆを弾性変形させることで突起４１ｈを押し退け、図１０に示す位置（排紙受けトレイ７の使用位置）に保持される。この様な保持構造によって、排紙受けトレイ７は収納位置と使用位置のそれぞれにおいて容易に動いてしまうことが無い様に構成されている。
【００３７】
また、第１ガイド溝４１ｂと第２ガイド溝４１ｃとの接続位置には、段差４１ｄ（図７）が形成されている。段差４１ｄは、第１ガイド溝４１ｂの底面４１ｊが、第２ガイド溝４１ｃの底面（第１変形片４１ｅ、第２変形片４１ｆ）よりも低位置となる様な段差である。
【００３８】
第２ガイド溝４１ｃの前方側端部には開口部４１ａが形成されており、即ち第２ガイド溝４１ｃは閉鎖構造ではなく開放構造となっていて、装置の組立状態では開口部４１ａが、装置外観を構成する前面パネル３８によって閉塞される様になっている（図２）。
【００３９】
以上の様に形成されたトレイガイド４１に対し、排紙受けトレイ７を組み付けるには、２つのトレイガイド４１が下部ハウジング３９に取り付けられ、且つ前面パネル３８が取り外された状態、即ち開口部４１ａが開放された状態において、排紙受けトレイ７の第１ボス７ｅを、開口部４１ａを介して第２ガイド溝４１ｃに遊挿する。また同様に、第２ボス７ｆを、開口部４１ａを介して第２ガイド溝４１ｃに遊挿する。
【００４０】
そして第１ガイド溝４１ｂと第２ガイド溝４１ｃは、上述した様に接続されているので、第１ボス７ｅを、第２ガイド溝４１ｃから第１ガイド溝４１ｂへと入り込ませることができる。ここで、第１ボス７ｅは、図１１（Ａ）、（Ｂ）に示す様に第２ボス７ｆよりも若干突出高さが高く形成されており、これにより第１ボス７ｅが第２ガイド溝４１ｃを通る際には、第１ボス７ｅの変形を伴って、或いは排紙受けトレイ７全体の変形を伴って、先端が第２ガイド溝４１ｃの底面４１ｊにやや圧接した状態となる（図１１（Ａ））。
【００４１】
従って排紙受けトレイ７の取り付け時、第１ボス７ｅが第２ガイド溝４１ｃを通る際には若干の抵抗が生じるが、第１ボス７ｅが段差４１ｄを通って第１ガイド溝４１ｂに入り込むことで（図１１（Ｂ））、上記変形が解消され（第１ボス７ｅが第２ガイド溝４１ｃの底面４１ｊに圧接した状態が解消され）、排紙受けトレイ７が抵抗なく変位動作できる様になっている。そして取り付け後は、段差４１ｄによって第１ボス７ｅが第２ガイド溝４１ｃに入り込むことがなく、排紙受けトレイ７の適切な変位動作を維持することができる。
【００４２】
そして第１ボス７ｅが第１ガイド溝４１ｂに入り込み、第２ボス７ｆが第２ガイド溝４１ｃに入り込んだ状態では、各ボスが各ガイド溝にガイドされることで、排紙受けトレイ７は図８の収納位置と、図１０の使用位置との間を変位することができる。そして収納位置と使用位置とでは、第１ボス７ｅと第２ボス７ｆによって、排紙受けトレイ７の姿勢が規定される。尚、排紙受けトレイ７は、使用位置においては排出された用紙が排紙受けトレイ７から滑り落ちない様に、所定の上向き傾斜角を有する姿勢に置かれる。
【００４３】
尚、第１ボス７ｅは、第１ガイド溝７ｂと第２ガイド溝７ｃとの接続位置（段差４１ｄ）において第２ガイド溝７ｃの側に入り込もうとしても、段差４１ｄが形成されていることで、第１ボス７ｅが容易に第２ガイド溝７ｃに入り込むことはない。
【００４４】
以上説明した様に、被記録媒体支持部材としての排紙受けトレイ７をガイドする第２ガイド溝４１ｃは、排紙受けトレイ７の引き出し方向側の端部が閉塞されておらず、開口形状となっているとともに（開口部４１ａ）、この開口部４１ａが装置外観を構成するハウジング部材である前面パネル３８によって閉塞されているので、前面パネル３８を取り外すことで、排紙受けトレイ７を取り外す（交換する）ことが可能となる。
【００４５】
つまり、排紙受けトレイ７の取り外し（交換）に際してトレイガイド４１を取り外す必要がなく、排紙受けトレイ７を装置本体に確実に組み付けながらも、交換作業時にはこれを容易に交換することが可能となる。
【００４６】
また、第１ガイド溝４１ｂと第２ガイド溝４１ｃとが接続されているので、排紙受けトレイ７の取り付け時には、第１ボス７ｅと第２ボス７ｆとをそれぞれ別個にガイド溝に挿入する必要がなく、第１ボス７ｅ及び第２ボス７ｆを使用位置側から挿入すれば、それぞれ第１ガイド溝４１ｂと第２ガイド溝４１ｃとに挿入することができ、排紙受けトレイ７取付時の作業性が向上する様になっている。
【００４７】
以上説明した実施形態は一例であり、例えば本実施形態では本発明に係る被記録媒体支持部材を排紙受けトレイ７に適用したが、用紙給送部４に設けられた支持部材１３に対して本発明を適用することもできる。即ち、本発明は排紙受けトレイに限られず、その他の被記録媒体を支持する被記録媒体支持部材に適用することが可能である。
【符号の説明】
【００４８】
１  インクジェットプリンター、２  記録部、３  スキャナ部、４  用紙給送部、５  用紙カセット、６  用紙排出口、７  排紙受けトレイ、７ａ  基部、７ｂ、７ｃ  引き出し部、７ｄ  ストッパー部、７ｅ  第１ボス、７ｆ  第２ボス、８  前面カバー、９  操作パネル、１０  スキャナカバー、１３、１４  支持部材、１５  給送ローラー、１６  分離ローラー、１８  給送ローラー、２０  反転ローラー、２１  分離ローラー、２４  搬送駆動ローラー、２５  搬送従動ローラー、２６  ローラー支持部材、２８  案内部材、３０  キャリッジ、３１  インクジェット記録ヘッド、３３  従動ローラー、３４  排出駆動ローラー、３５  排出従動ローラー、３７  中央ハウジング、３８  前面パネル、３９  下部ハウジング、４１  トレイガイド、４１ａ  開口部、４１ｂ  第１ガイド溝、
４１ｃ  第２ガイド溝、４１ｄ  段差部、４１ｅ  第１変形片、４１ｆ  第２変形片、４１ｇ  突起、４１ｈ  突起、４１ｊ  底面、Ｐ１、Ｐ２  記録用紙
【図１】
0005862028.tif 000002
【図２】
0005862028.tif 000003
【図３】
0005862028.tif 000004
【図４】
0005862028.tif 000005
【図５】
0005862028.tif 000006
【図６】
0005862028.tif 000007
【図７】
0005862028.tif 000008
【図８】
0005862028.tif 000009
【図９】
0005862028.tif 000010
【図１０】
0005862028.tif 000011
【図１１】
0005862028.tif 000012